(57)【特許請求の範囲】
【請求項１】
サーマルヘッドと、
前記サーマルヘッドと対向配置されたプラテンローラと、
記録紙のカールを矯正するカール矯正機構と、
を備え、
前記カール矯正機構は、熱転写時の前記記録紙の搬送方向に対して、前記プラテンローラの上流に配置され、
前記カール矯正機構は、前記記録紙のカールを矯正するか否かを切り替え可能であり、
前記カール矯正機構は、
前記記録紙を挟んで前記プラテンローラと対向配置されたカール矯正ローラと、
前記カール矯正ローラの位置を前記記録紙の搬送経路に干渉する方向に移動させるカール矯正ローラ位置移動機構と、
を備え、
前記カール矯正ローラが移動して前記カール矯正ローラが前記記録紙に干渉し、前記カール矯正ローラの移動に伴う前記干渉に応じて前記記録紙が前記プラテンローラのローラ面に前記カールとは逆の方向に巻き付けられることによって前記記録紙のカールが矯正される、
サーマルプリンタ。
【請求項２】
前記カール矯正機構は、補助ローラをさらに備え、
前記カール矯正ローラと前記補助ローラとは同一の保持部材に保持されており、
前記カール矯正ローラ位置移動機構が前記保持部材を移動させることにより前記補助ローラの位置も移動し、
前記記録紙のカールの矯正を行わない場合、前記補助ローラの位置が移動して、前記記録紙を前記サーマルヘッドと前記プラテンローラとの間隙の入口に導く、
請求項１に記載のサーマルプリンタ。
【請求項３】
前記サーマルヘッドを加熱しているときにのみ、前記カール矯正機構は前記記録紙のカールを矯正する、
請求項１から請求項２のいずれか一項に記載のサーマルプリンタ。
【請求項４】
特定の色を印画しているときにのみ、前記カール矯正機構は前記記録紙のカールを矯正する、
請求項１から請求項３のいずれか一項に記載のサーマルプリンタ。
【請求項５】
前記記録紙が巻かれた記録紙ロールの巻き径を検出する巻き径検出部をさらに備え、
前記カール矯正機構は、前記記録紙ロールの巻き径に基づいて、前記カール矯正ローラの移動量を調整して、前記記録紙を前記プラテンローラのローラ面に沿わせる長さを変化させることにより、当該記録紙のカール矯正量を調整する、
請求項１から請求項４のいずれか一項に記載のサーマルプリンタ。
【請求項６】
前記カール矯正機構は、前記記録紙ロールの巻き径および前記サーマルヘッドの加熱量に基づいて、前記カール矯正ローラの移動量を調整して、前記記録紙を前記プラテンローラのローラ面に巻き付ける長さを変化させることにより、当該記録紙のカール矯正量を調整する、
請求項５に記載のサーマルプリンタ。
【発明の詳細な説明】
【技術分野】
【０００１】
本発明はサーマルプリンタに関し、特にロール状に巻かれた記録紙の巻き癖を矯正するための機構を備えたサーマルプリンタに関する。
【背景技術】
【０００２】
記録紙に熱転写して印刷を行うサーマルプリンタにおいては、記録紙がロール状に巻かれた記録紙ロールがコスト面で有利のため、広く利用されている。この記録紙ロールは、長尺状の記録紙を例えば巻き芯となる紙管に円筒状に巻いたものである。印画の都度、記録紙ロールから必要量の記録紙を巻き出し、印画の終了後に所定の長さで記録紙を記録紙ロールからカットして排紙する。
【０００３】
記録紙ロールから巻き出された記録紙には、巻き癖（以降ではカールと呼ぶ）が付いている。カールは、記録紙が巻き芯に近いほど顕著となる。
【０００４】
そのため、巻き出された記録紙が、カールが付いたままの状態で排紙された場合、カールの影響で印画物がスタック出来ない、印画物の品位を損ねる、あるいは、紙詰まりなどの原因となっていた。
【０００５】
従来のサーマルプリンタにおいては、記録紙を、カールの湾曲方向に対して逆の方向に屈曲してカールを矯正する、カール矯正機構が配置されている。例えば特許文献１においては、カール矯正機構は、記録紙の印画される送り方向に対して、サーマルヘッドよりも下流側で、かつサーマルヘッドによる余熱が記録紙に残留している位置に配置される。
【先行技術文献】
【特許文献】
【０００６】
【特許文献１】特開２００７−１９７１２３号公報
【発明の概要】
【発明が解決しようとする課題】
【０００７】
従来のサーマルプリンタでは、記録紙がサーマルヘッドを通過後に記録紙とインクリボンを剥離するインクリボン剥離部材に記録紙とインクリボンをカール矯正ローラで一緒に押し付けることによりカールと逆方向の屈曲を与えている。しかしながら、インクリボン剥離部材でインクリボンのみを記録紙から離すように構成できていないのでインクリボンの剥離不良を起こすという問題があった。
【０００８】
また、印画時は、記録紙の搬送速度の変化が印画への影響とならないように、記録紙は所定の一定速度で精密に搬送されている。しかしながら、従来のカール矯正方法では、記録紙がサーマルヘッドを通過する速度が変動するため、印画が不均一となり印画品質を低下させるという問題があった。
【０００９】
本発明は以上のような課題を解決するためになされたものであり、記録紙のカール矯正を行うことが可能でかつ、印画品質が良く、信頼性の高いサーマルプリンタの提供を目的とする。
【課題を解決するための手段】
【００１０】
本発明に係るサーマルプリンタは、サーマルヘッドと、サーマルヘッドと対向配置されたプラテンローラと、記録紙のカールを矯正するカール矯正機構と、を備え、カール矯正機構は、熱転写時の記録紙の搬送方向に対して、プラテンローラの上流に配置され、カール矯正機構は、記録紙のカールを矯正するか否かを切り替え可能であり、カール矯正機構は、記録紙を挟んでプラテンローラと対向配置されたカール矯正ローラと、カール矯正ローラの位置を記録紙の搬送経路に干渉する方向に移動させるカール矯正ローラ位置移動機構と、を備え、カール矯正ローラが移動してカール矯正ローラが記録紙に干渉し、カール矯正ローラの移動に伴う干渉に応じて記録紙がプラテンローラのローラ面にカールとは逆の方向に巻き付けられることによって記録紙のカールが矯正される。
【発明の効果】
【００１１】
本発明に係るサーマルプリンタにおいては、カール矯正機構をサーマルヘッドの下流ではなく、上流側に配置したため、カール矯正機構がサーマルヘッドとグリップローラの間に配置されない。従って、カール矯正機構がインクシートの剥離を阻害することがない。また、記録紙の搬送速度を一定に保つことが可能である。また、カール矯正機構は、印刷動作に連動させて、カール矯正機構のオン、オフを自在に切り替えることができる。よって、印画品質が良く、信頼性の高いサーマルプリンタを得ることができる。
【図面の簡単な説明】
【００１２】
【図１】本発明の実施形態に係るサーマルプリンタの構成を示す図である。
【図２】本発明の実施形態に係るサーマルプリンタのカール矯正機構の構成を示す図である。
【図３】本発明の実施形態に係るサーマルプリンタのカール矯正機構の構成を示す図である。
【図４】本発明の実施形態に係るサーマルプリンタのカール矯正機構の機能ブロック図である。
【図５】記録紙ロールの巻き径に対するカール量とカール矯正量の関係を示す図である。
【図６】本発明の実施形態に係るサーマルプリンタのカール矯正機構の動作を示すフローチャートである。
【図７】本発明の実施形態に係るサーマルプリンタの記録紙の搬送方向、サーマルヘッドのヒータのオン、オフ、保持部材の回動のそれぞれのタイミングを示す図である。
【発明を実施するための形態】
【００１３】
＜構成＞
図１は、本発明の実施形態におけるサーマルプリンタの構成を示す図である。本実施の形態のサーマルプリンタは、インクシート３のインクを記録紙７（印画媒体）へ熱転写することによって印画を行う。サーマルプリンタは、インクシート供給・巻取部と、インクシート３および記録紙７を圧着・加熱する熱転写部と、記録紙７の搬送を行う記録紙搬送部と、カール矯正機構４０とを備える。
【００１４】
記録紙搬送部はグリップローラ５と、ピンチローラ６と、ステッピングモータ１０と、巻き径検出部７２とを備える。グリップローラ５およびピンチローラ６は両者の間に記録紙７を挟持するものである。ステッピングモータ１０は駆動プーリー等の動力伝達部品（図示せず）を介してグリップローラ５を駆動するものである。巻き径検出部７２は、記録紙ロール７１の巻き径を検出する。サーマルプリンタプリンタはさらに、記録紙７を切断するためのカッタ（図示せず）を有する。
【００１５】
インクシート供給・巻取部は、供給ボビン１３と、ガイドローラ３２と、巻取ボビン８と、ＤＣ(Ｄｉｒｅｃｔ  Ｃｕｒｒｅｎｔ)モータ１４とを備える。供給ボビン１３はインクシート３を供給するものである。ガイドローラ３２は、インクシート３のうち剥離ローラ３１と巻取ボビン８との間に位置する部分に接する円筒面を有し、インクシート３のうち熱転写が行われた部分を巻取ボビン８の方へと案内するものである。巻取ボビン８は、インクシート３のうち熱転写が行われた部分を巻き取るものである。ＤＣモータ１４は、連結駆動部（図示せず）を介して巻取ボビン８を駆動するものである。
【００１６】
熱転写部は、プラテンローラ２と、サーマルヘッド５０と、剥離ローラ３１とを備える。サーマルヘッド５０は、プラテンローラ２上でインクシート３を記録紙７に部分的に押し付けつつインクシート３を加熱することにより、熱転写を行うものである。サーマルヘッド５０は、本体１と、ヒータ３０と、ＩＣ(Ｉｎｔｅｇｒａｔｅ  Ｃｉｒｃｕｉｔ)カバー１１と、ヒートシンク１２と、剥離ローラ３１とを備える。ヒータ３０はサーマルヘッド５０の発熱部である。ＩＣカバー１１はサーマルヘッドのＩＣ部分を覆うものである。ヒートシンク１２はサーマルヘッド５０を冷却するものである。剥離ローラ３１は、インクシート３のうちサーマルヘッド５０と巻取ボビン８との間に位置する部分に接する円筒面を有し、回転可能に支持され、記録紙７からインクシート３を剥離するものである。
【００１７】
カール矯正機構４０は、カール矯正ローラ４１と、補助ローラ４２と、回転軸４５と、保持部材４３と、カール矯正用モータ４４とを備える。保持部材４３は、カール矯正ローラ４１と補助ローラ４２を保持する。保持部材４３は回転軸４５を軸として回動する。カール矯正用モータ４４は、連結駆動部（図示せず）を介して保持部材４３を回動させるための動力である。カール矯正用モータ４４により保持部材４３が回転軸４５を中心に回動することにより、カール矯正ローラ４１と補助ローラ４２の位置が移動する。カール矯正用モータ４４は例えばＤＣモータである。
【００１８】
図２および図３は、カール矯正機構４０の構成を示す図である。図２は、カール矯正機構４０が記録紙７のカール矯正を行っている状態（以降、オン状態と呼ぶ）を示す。図３は、カール矯正を行っていない状態（以降、オフ状態と呼ぶ）を示す。
【００１９】
図２に示すように、オン状態においては、保持部材４３がプラテンローラ２に近づく方向に回動することによって、カール矯正ローラ４１が記録紙７の搬送経路に干渉する方向に移動する。このカール矯正ローラ４１の干渉により、記録紙７がプラテンローラ２のローラ面に沿う。
【００２０】
図３に示すように、オフ状態においては、保持部材４３がプラテンローラ２から離れる方向に回動することによって、補助ローラ４２の位置が移動して記録紙７に押し付けられる。これにより、記録紙７がプラテンローラ２のローラ面に沿わなくなる。
【００２１】
記録紙７はカール矯正ローラ４１によって、カールとは逆の方向にプラテンローラ２に沿う。図３において、カール矯正オフ状態を示す。カール矯正用モータ４４によって保持部材４３が回動して、カール矯正ローラ４１および補助ローラ４２が図示位置へ移動する。補助ローラ４２によって記録紙７はプラテンローラ２へ沿わない方向に持ち上げられる。
【００２２】
図４は、カール矯正機構４０の機能ブロック図である。カール矯正機構４０は、巻き径検出部７２と、カール量推定部４６と、カール矯正機構制御部４７と、カール矯正機構駆動部４８とを備える。巻き径検出部７２は、記録紙ロール７１の巻き径を検出する。カール量推定部４６は、記録紙ロール７１の巻き径から記録紙７のカール量を推定する。カール矯正機構制御部４７は、カール量推定部４６が推定したカール量に基づいて、このカール量を矯正するために必要な保持部材４３の回動量を計算し、サーマルプリンタ制御部８０が制御する印刷動作に連動させて、カール矯正機構駆動部７５を制御する。カール矯正機構駆動部７５は、カール矯正機構制御部７４から送られる保持部材４３の回動量を含む制御指示に基づいて、カール矯正用モータ４４を駆動することにより、保持部材４３を回動させる。
【００２３】
＜動作＞
記録紙７は、図１に示すように、カール矯正ローラ４１と補助ローラ４２の間を通り、ＩＣカバー１１にガイドされてサーマルヘッド５０とプラテンローラ２を通り、図１において、グリップローラ５とピンチローラ６とで挟み込まれて保持される。
【００２４】
グリップローラ５には、針状の突起（図示せず）が形成されており、この突起が記録紙７に刺さることにより搬送力が得られる。サーマルヘッド５０およびプラテンローラ２に挟まれることによって記録紙７およびインクシート３が互いに圧着される。この状態で、記録紙７およびインクシート３を同時に搬送しながらサーマルヘッド５０のヒータ３０の加熱が制御される。これにより生じる記録紙７へのインクの熱転写によって印画が行われる。カラー印画のためには、たとえば、インクシート３におけるイエロー（Ｙ）色のインク領域の印画終了後に、記録紙７がグリップローラ５によっていったん引き戻され、その後、マゼンダ（Ｍ）色、シアン（Ｃ）色および保護層（オーバーコート層）のインク領域の順に、Ｙ色のインク領域と同様の動作で転写が行われる。これにより、Ｙ色、Ｍ色、Ｃ色および保護層のインク領域からなる１画面分の転写が行われることで、１枚の印画物が作成される。
【００２５】
熱転写時、インクシート３および記録紙７はサーマルヘッド５０とプラテンローラ２との間でいったん加熱圧着される。その後、サーマルヘッド５０とプラテンローラ２との間を通り抜けたインクシート３は、剥離ローラ３１およびガイドローラ３２によって順に案内された後に巻取ボビン８（図１）に巻き取られる。このときインクシート３はサーマルヘッド５０およびプラテンローラ２によって挟まれた位置から剥離ローラ３１に向かう方向へと引っ張られることで記録紙７から剥離される。この際にインクシート３へ適度な張力を与えないと、インクシート３が記録紙７から完全に剥離されない不良、すなわち剥離不良が生じたり、インクシート３に皺が発生したりすることがある。
【００２６】
記録紙７への余計な搬送速度の変動を与えないようサーマルヘッド５０とグリップローラ５の間に記録紙７へ接触させるものを配置せず、かつサーマルヘッド５０とグリップローラ５の距離を極力短くすることが望まれる。またインクシート３への余計な張力変動は避けることが望まれる。本発明では、記録紙７の搬送速度とインクシート３の張力を安定のまま保つために、記録紙７の印画される送り方向に対しサーマルヘッド５０よりも上流側へカール矯正機構４０を配置している。
【００２７】
髪の毛のセット方法において、髪の毛をカールやストレートにしたうえで熱を与えてその形に固定させる。これと同様に、本実施の形態では、図２に示すように、記録紙７をカールとは逆の方向にプラテンローラ２へ巻き付け、サーマルヘッド５０の熱を利用し、カール矯正を行う。
【００２８】
本実施形態では、カール矯正ローラ４１が移動可能であるため、プラテンローラ２に記録紙７が沿う長さ（記録紙７の巻き付け量）を容易に変更可能である。これにより、記録紙７のカール矯正量の調整を自在に管理できる。例えば、記録紙ロール７１の巻き径を検出する巻き径検出部７２により記録紙ロール７１の巻き径を検出し、カール量推定部４６が記録紙７のカール量を推定し、そのカール量によりカール矯正量を決める事ができる。また、図３のように、カール矯正をオフ状態にすることで、記録紙７の搬送経路がストレートに近くなり、搬送速度を速くでき、かつジャムの発生しにくい信頼性の高い記録紙搬送が可能となる。
【００２９】
次に、カール矯正機構４０の動作を説明する。図６は、カール矯正機構４０の動作を示すフローチャートである。まず、ステップＳ１０１において、記録紙ロール７１の巻き径を測定する。これは、巻き径検出部７２が記録紙ロール７１の巻き径を検出することにより行われる。そして、ステップＳ１０２において、カール量推定部４６は、記録紙ロール７１の巻き径よりカール矯正量を計算する。これは、例えば図５を参照することにより行われる。次に、ステップＳ１０３において、カール矯正機構制御部４７は、カール矯正量に基づいて、カール矯正に必要な保持部材４３の回動量を計算する。そして、ステップＳ１０４において、カール矯正機構駆動部４８は、カール矯正機構制御部４７から送られる保持部材４３の回動量を含む制御指示に基づいて、カール矯正用モータ４４を駆動することにより、保持部材４３を回動させる。
【００３０】
以後、カール矯正機構４０の保持部材４３の回動量は、図３のカール矯正がオフ状態の位置を基準とする。図５に示すように、一般的に記録紙ロール７１の巻き径が大きければ記録紙７のカール量は小さく、巻き径が小さければ記録紙７のカール量は大きい。よって、記録紙ロール７１の巻き径が大きければカール矯正量を小さくするために保持部材４３の回動量を小さくし、巻き径が小さければカール矯正量を大きくするために保持部材４３の回動量を大きくする。このように、記録紙ロール７１の巻き径に応じて、カール矯正量を変化させることで、記録紙７のカールを適切に矯正することができる。
【００３１】
図７は、記録紙７の搬送方向、サーマルヘッド５０のヒータ３０のオン、オフ、保持部材４３の回動量のそれぞれのタイミングを示す図である。図７を用いて、カール矯正機構４０の動作タイミング制御を説明する。カール矯正量は、保持部材４３の回動量と、サーマルヘッド５０に備わるヒータ３０のオンの時間との積で求められると考えてよい。
【００３２】
図７において、回動量が最大とは、保持部材４３が図２の位置にあることを指す。また、回動量が最小とは、保持部材４３が図３の位置にあることを指す。図７の中の（ａ）は、印画動作の最初から最後まで常に、保持部材４３の回動量を最大に維持した例である。この場合、カール矯正量は常に最大となる。
【００３３】
図７中の（ｂ）は、ヒータ３０がオンの時だけ保持部材４３の回動量を最大にし、記録紙７を巻き戻す時には保持部材４３の回動量を最小（ゼロ）にした例である。この場合、記録紙７を巻き戻す時には記録紙７がプラテンローラ２に沿っていないので、記録紙７の搬送速度を上げることができる。すなわち、カール矯正を行いつつ、印画のトータル時間を短くすることができる。
【００３４】
図７中の（ｃ）は、特定の色（例えばＹ）を印画しているときのみ保持部材４３の回動量を最大にし、他の色の印画時は回動量を最小とした例である。ここで、特定の色は（Ｙ、Ｍ、Ｃ、保護層）のうちの１つだけでもよいし、複数の色でも良い。
【００３５】
図７中の（ｄ）は、（ａ）と同様、印画動作の最初から最後まで常に、カール矯正機構４０をオンにした例である。（ａ）との違いは、記録紙ロール７１の巻き径に基づいて保持部材４３の回動量を決定していることである。ここで、（ｂ）および（ｃ）においても、保持部材４３の回動量を記録紙ロール７１の巻き径に基づいた回動量に置き換えてもよい。
【００３６】
図７中の（ｅ）は、Ｙ、Ｍ、Ｃ、保護層の各色の印画時において、各色の濃淡に合わせて自在に保持部材４３の回動量を変化させた例である。印画する色の濃度が薄い場合はヒータ３０の熱量が小さいので、保持部材４３の回動量を大きくする。一方、印画する色の濃度が濃い場合はヒータ３０の熱量が大きいので、保持部材４３の回動量を小さくする。こうすることにより、記録紙７の搬送負荷を小さくしたうえで、カール矯正を効率よく実現できる。また、記録紙ロール７１の巻き径により求められたカール矯正量に対して、ヒータ３０のオンの時間と保持部材４３の回動量の積の各色の総和が合致すれば、（ａ）、（ｂ）、（ｃ）、（ｄ）において、保持部材４３の回動量を、各色の濃度に応じて変化させてもよい。
【００３７】
上記のように、記録紙７のカールを軽減させることにより、印画後のスタック性が良く、印画品質の良く、かつ紙詰まりの起こりにくい、信頼性の高いサーマルプリンタを実現できる。
【００３８】
＜効果＞
本実施の形態におけるサーマルプリンタは、サーマルヘッド５０と、サーマルヘッド５０と対向配置されたプラテンローラ２と、記録紙７のカールを矯正するカール矯正機構４０と、を備え、カール矯正機構４０は、記録紙７の搬送方向おいて、プラテンローラ２の上流に配置され、カール矯正機構４０は、記録紙７のカールを矯正するか否かを切り替え可能である。
【００３９】
一般にサーマルプリンタにおいては、記録紙７への余計な搬送速度の変動を与えないようサーマルヘッド５０とグリップローラ５の間に記録紙７へ接触させるものを配置せず、かつサーマルヘッド５０とグリップローラ５の距離を極力短くするのが望まれる。またインクシート３への余計な張力変動は避けることが望まれる。本実施の形態では、カール矯正機構４０をサーマルヘッド５０の下流ではなく、上流側に配置したため、カール矯正機構４０がサーマルヘッド５０とグリップローラ５の間に配置されない。従って、カール矯正機構４０がインクシート３の剥離を阻害することがない。また、記録紙７の搬送速度を一定に保つことが可能である。また、カール矯正機構４０は、印刷動作に連動させて、カール矯正機構のオン、オフを自在に切り替えることができる。よって、印画品質が良く、信頼性の高いサーマルプリンタを得ることができる。
【００４０】
また、本実施の形態におけるサーマルプリンタにおいて、カール矯正機構４０は、記録紙７を挟んでプラテンローラ２と対向配置されたカール矯正ローラ４１と、カール矯正ローラ４１の位置を記録紙７の搬送経路に干渉する方向に移動させるカール矯正ローラ位置移動機構と、を備え、カール矯正ローラ４１が移動してカール矯正ローラ４１が記録紙７に干渉し、カール矯正ローラ４１の移動に伴う干渉に応じて記録紙７がプラテンローラ２のローラ面に沿う。
【００４１】
従って、本実施の形態では、カール矯正ローラ４１により、記録紙７をカールとは逆の方向にプラテンローラ２へ巻き付け、サーマルヘッド５０の熱を利用して、カール矯正を行うことが可能となる。また、カール矯正ローラ４１の移動量を調整することにより、カール矯正量を変化させることが可能である。
【００４２】
また、本実施の形態におけるサーマルプリンタにおいて、カール矯正機構４０は、補助ローラ４２をさらに備え、カール矯正ローラ４１と補助ローラ４２とは同一の保持部材４３に保持されており、カール矯正ローラ位置移動機構が保持部材４３を移動させることにより補助ローラ４２の位置も移動し、記録紙７のカールの矯正を行わない場合、補助ローラ４２の位置が移動して、記録紙７をサーマルヘッド５０とプラテンローラ２との間隙の入口に導く。
【００４３】
従って、カール矯正を行わない場合は、補助ローラ４２により、記録紙７をサーマルヘッド５０とプラテンローラ２との間隙の入口に導くことが可能である。また、補助ローラ４２を、カール矯正ローラ４１が保持されている部材と同じ保持部材４３に配置することにより、カール矯正ローラ位置移動機構を補助ローラ４２の移動に利用することが可能である。
【００４４】
また、本実施の形態におけるサーマルプリンタにおいて、サーマルヘッド５０を加熱しているときにのみ、カール矯正機構４０は記録紙７のカールを矯正する。
【００４５】
従って、記録紙７を巻き戻すときには、カール矯正機構４０をオフ状態にすることにより、記録紙７を巻き戻す際の搬送速度を上げることが可能である。よって、印刷に要する時間を短縮することができる。
【００４６】
また、本実施の形態におけるサーマルプリンタにおいて、特定の色を印画しているときにのみ、カール矯正機構４０は記録紙７のカールを矯正する。
【００４７】
従って、特定の色以外の色を印画しているときにはカール矯正機構４０をオフ状態にすることにより、記録紙７の搬送速度を上げることが可能である。よって、印刷に要する時間を短縮することができる。
【００４８】
また、本実施の形態におけるサーマルプリンタは、記録紙７が巻かれた記録紙ロール７１の巻き径を検出する巻き径検出部７２をさらに備え、カール矯正機構４０は、記録紙ロール７１の巻き径に基づいて、カール矯正ローラ４１の移動量を調整して、記録紙７をプラテンローラ２のローラ面に沿わせる長さを変化させることにより、記録紙７のカール矯正量を調整する。
【００４９】
従って、記録紙７のカール量は、記録紙ロール７１の巻き径に応じて変化するため、記録紙ロール７１の巻き径に基づいて記録紙７のカール矯正を行うことにより、記録紙７の実際のカール量の分だけ、カール矯正を適用することが可能となる。
【００５０】
また、本実施の形態におけるサーマルプリンタにおいて、カール矯正機構４０は、記録紙ロール７１の巻き径およびサーマルヘッド５０の加熱量に基づいて、カール矯正ローラ４１の移動量を調整して、記録紙７をプラテンローラ２のローラ面に沿わせる長さを変化させることにより、記録紙７のカール矯正量を調整する。
【００５１】
カール矯正量は、記録紙７をプラテンローラ２のローラ面に沿わせる長さと、サーマルヘッドの加熱量の積に応じて決まる。そこで、本実施の形態では、サーマルヘッドの加熱量、即ち画像の濃淡に応じて、保持部材４３の回動量（即ち、記録紙７をプラテンローラ２のローラ面に沿わせる長さ）を調整する。これにより、サーマルヘッドの加熱量が変化しても、一定量のカール矯正を行うことが可能となる。
【００５２】
なお、本発明は、その発明の範囲内において、実施の形態を適宜、変形、省略することが可能である。
【符号の説明】
【００５３】
１１  ＩＣカバー、１３  供給ボビン、１４  ＤＣモータ、２  プラテンローラ、３  インクシート、３０  ヒータ、３１  剥離ローラ、３２  ガイドローラ、４０  カール矯正機構、４１  カール矯正ローラ、４２  補助ローラ、４３  保持部材、４４  カール矯正用モータ、４５  回転軸、４６  カール量推定部、４７  カール矯正機構制御部、４８  カール矯正機構駆動部、５０  サーマルヘッド、５  グリップローラ、６  ピンチローラ、７  記録紙、７１  記録紙ロール、７２  巻き径検出部、８  巻取ボビン、８０  サーマルプリンタ制御部。
【図１】
0006381333.tif 000002
【図２】
0006381333.tif 000003
【図３】
0006381333.tif 000004
【図４】
0006381333.tif 000005
【図５】
0006381333.tif 000006
【図６】
0006381333.tif 000007
【図７】
0006381333.tif 000008